(57)【特許請求の範囲】
【請求項１】
弾性変形可能な容器部と、この容器部に連設された吸引管部および吐出管部とからなる注入器本体とを備え、前記容器部の押圧による弾性変形にともなう内部圧力の変化により、前記吸引管部から被検試料を吸引したり、前記被検試料を前記吐出管部から吐出させる試料注入器であって、
前記吸引管部側に逆止弁を組み込み、前記吐出管部内に除泡剤を含浸させたフィルターを組み込んだことを特徴とする試料注入器。
【請求項２】
請求項１記載の試料注入器において、
前記吐出管部内に被検試料の化学反応を促進または一定の測定条件にするコンディショニング剤を含浸させたフィルターをさらに組み込んだことを特徴とする試料注入器。
【請求項３】
請求項１記載の試料注入器において、
前記フィルターに、被検試料の化学反応を促進または一定の測定条件にするコンディショニング剤をさらに含浸させたことを特徴とする試料注入器。
【請求項４】
請求項１、２、３のうちのいずれか一項に記載の試料注入器において、
前記容器部の内部を弾性変形可能な仕切壁によって前記吸引管部に連通する第１の室と、前記吐出管部に連通する第２の室に仕切るとともに、前記仕切壁に前記第１、第２の室を互いに連通させる連通孔を形成し、この連通孔は、前記容器部の押圧による前記仕切壁の弾性変形によって閉じ、押圧解除による仕切壁の原形復帰によって開くことにより前記仕切壁とともに逆止弁を構成することを特徴とする試料注入器。
【発明の詳細な説明】
【技術分野】
【０００１】
本発明は、牛乳中の菌、血液や尿中に存在するペプチド類などの検査に用いて好適な試料注入器に関するものである。
【背景技術】
【０００２】
牛乳中の菌、血液や尿中に存在するペプチド類、生体内で起こる分子間の相互作用（免疫反応、タンパク質間相互作用など）をリアルタイムで測定する装置としては、例えば  特許文献１、２、３に開示されている表面プラズモン共鳴現象測定装置が知られている。
【０００３】
上記の表面プラズモン共鳴現象測定装置によって液状の被検試料を測定する際には、被検試料を試料注入器により毛細管現象を利用して一定量採取し、試料セルの小さな穴からセル内に漏れないように注入している。
【０００４】
【特許文献１】特許第３４６２１７９号公報
【特許文献２】特開２００１−１９４２９８号公報
【特許文献３】特許第３３５６２１３号公報
【発明の開示】
【発明が解決しようとする課題】
【０００５】
しかしながら、上記した表面プラズモン共鳴現象測定装置に用いられている従来の試料注入器は、一般の簡単な構造からなるスポイトを用いているため、被検試料中に空気（気泡）が混入しないように採取することが難しく、熟練を要するという問題があった。また、従来の試料注入器は、被検試料中に気泡が混入してしまうと取り除くことが難しいため、測定に影響（被検試料の屈折率変化や計測光量の減少等）を及ぼし、正確な検査ができなくなる。
【０００６】
本発明は、上記した従来の問題を解決するためになされたもので、その目的とするところは、試料中に混入している気泡を確実に除去し得るようにした試料注入器を提供することにある。
【課題を解決するための手段】
【０００７】
上記目的を達成するために、第１の発明は、弾性変形可能な容器部と、この容器部に連設された吸引管部および吐出管部とからなる注入器本体とを備え、前記容器部の押圧による弾性変形にともなう内部圧力の変化により、前記吸引管部から被検試料を吸引したり、前記被検試料を前記吐出管部から吐出させる試料注入器であって、前記吸引管部側に逆止弁を組み込み、前記吐出管部内に除泡剤を含浸させたフィルターを組み込んだものである
【０００８】
また、本発明は、上記第１の発明において、前記吐出管部内に被検試料の化学反応を促進または一定の測定条件にするコンディショニング剤を含浸させたフィルターをさらに組み込んだものである。
【０００９】
また、本発明は、上記第１発明において、前記フィルターに被検試料の化学反応を促進または一定の測定条件にするコンディショニング剤をさらに含浸させたものである。
【００１０】
さらに、本発明は、上記第１、第２、第３のうちのいずれか一つの発明において、前記容器部の内部を弾性変形可能な仕切壁によって前記吸引管部に連通する第１の室と、前記吐出管部に連通する第２の室に仕切るとともに、前記仕切壁に前記第１、第２の室を互いに連通させる連通孔を形成し、この連通孔は、前記容器部の押圧による前記仕切壁の弾性変形によって閉じ、押圧解除による仕切壁の原形復帰によって開くことにより前記仕切壁とともに逆止弁を構成するものである。
【発明の効果】
【００１１】
本発明においては、フィルターに除泡剤を含浸させているので、被検試料中に混入した気泡を取り除くことができる。また、本発明においては、逆止弁を備えているので、吸引管部からの被検試料の漏れを防止することができる。
【００１２】
また、本発明においては、フィルターに被検試料の化学反応を促進または一定の測定条件にするコンディショニング剤をさらに含浸させているので、被検試料の化学反応を促進させるか、または被検試料を一定の測定条件にすることができる。一定の測定条件にすることの中には、例えば被検試料のｐＨ値を所定の値にすることが含まれる。
【００１３】
さらに、本発明においては、仕切壁に形成した連通孔が容器部の押圧変形による仕切壁の弾性変形により閉塞し、押圧解除によって弾性変形が元に戻ることにより開く。このため、連通孔と仕切壁は逆止弁として機能する。
【発明を実施するための最良の形態】
【００１４】
以下、本発明を図面に示す実施の形態に基づいて詳細に説明する。
図１は本発明に係る試料注入器の一実施の形態を示す断面図である。同図において、試料注入器１は、注入器本体２を備えている。
【００１５】
前記注入器本体２は、弾性変形可能な容器部２Ａと、この容器部２Ａに取付けられた吸引管部２Ｂおよび吐出管部２Ｃとで構成されている。
【００１６】
前記容器部２Ａは、ゴム等の弾性材料によってラグビーボール状に形成されており、長軸方向の一端が開口し、この開口部３に前記吸引管部２Ｂが接続されている。
【００１７】
前記吸引管部２Ｂは、先端に向かって小径化するようにテーパ状に形成された第１の管体４と、この第１の管体４の先端側開口部５に差込み接続された第２の管体６とで構成されている。第１の管体４はガラスまたはプラスチックによって形成され、基端側開口端縁７が前記容器部２Ａの開口端面に形成した環状溝８に嵌着され、かつ超音波溶着等によって固定されている。
【００１８】
前記第２の管体６は、プラスチックによって一体に形成されて、内奥部に逆止弁９を有し、先端側が第１の管体４の先端側開口部５から外部に突出し、超音波溶着等によって第１の管体４に固定されている。また、第２の管体６の先端は、先細のテーパ部６Ａを形成し、その先端開口部１０が被検試料Ｌを吸い込む吸引口（以下、吸引口１０という）を形成している。
【００１９】
前記逆止弁９は、適度な弾性を有する舌片状で、第２の管体６と一体に形成されており、吸引口１０側の端部が第２の管体６の内壁に連設され、容器部２Ａ側端部が第２の管体６の内壁に対して通常密接しており、容器部２Ａ内が負圧になると二点鐘線で示すように開くように構成されている。逆止弁としては、これに限らず種々の変形が可能であり、例えば図２（ａ）に示すように、裁頭円錐形の浮動型逆止弁１１を用いたり、図２（ｂ）に示すように互いに対向する２枚の舌片１２ａ、１２ｂからなり、通常両舌片の先端部が密接する逆止弁１２を用いてもよい。
【００２０】
前記吐出管部２Ｃは、第１の管体４の外周面基端部に一体に、かつ第１の管体４の軸線と直交するように突設されており、先端部が表面プラズモン共鳴現象測定装置に用いられる試料セル１３の試料導入口１４への差込みを容易に、かつ確実にするために先細テーパ状に形成され、先端開口部１５が被検試料Ｌの吐出口（以下、吐出口１５という）を形成している。吐出管部２Ｃの内部には、除泡剤を含浸させたフィルター１６と、コンディショニング剤を含浸させたフィルター１７が組み込まれている。吐出管部２Ｃの内壁には、前記フィルター１６、１７が吐出口１５から抜け出すのを防止するために、突起状の抜け防止部１８が突設されている。
【００２１】
フィルター１６、１７の素材としては、脱脂綿、不織布、不織紙、メンブレンフィルター、ろ紙等の適宜な素材が用いられる。
【００２２】
除泡剤は、被検試料Ｌ中に混入している気泡を除去するために用いられるもので、例えばシグマ社製の商品名アンチフォーム２０４、アンチフォームＡ、アンチフォームＢエマルジョン、アンチフォームＣエマルジョン、アンチフォームＯ−３０、アンチフォームＳＥ−１５等が用いられる。
【００２３】
コンディショニング剤は、被検試料の化学反応を促進させたり、被検試料を一定の測定条件、例えば、ｐＨ値を所定の値にするために用いられるもので、例えばｔｗｅｅｎ２０、Ｐｏｌｙ（Ｏｘｙｅｔｈｌｅｎｅ）ｓｏｒｂｉｔａｎｍｏｎｏｌａｕｌａｔｅ、リン酸バッファー乾燥物、トリスバッファー乾燥物、Ｋａｔｈｏｎ抗菌剤等が用いられる。
【００２４】
このような試料注入器１において、牛乳等の被検試料を採取するときは、第２の管体６の先端部６Ａを被検試料の中に差し込み、容器部２Ａを手で押し潰して内部の空気を吐出管部２Ｃから排出する。そして、容器部２Ａを押し潰した状態を急速に解放すると、容器部２Ａは弾性復帰して元の形状に戻る。このとき、容器部２Ａの内部は負圧になるため、逆止弁９が二点鎖線で示すように開き、被検試料Ｌが吸引管部２Ｂを通って容器部２Ａ内に吸い込まれる。一方、フィルター１６、１７は抵抗になるため、外気が吐出管部２Ｃを通って容器部２Ａ内に入り込まれることはない。容器部２Ａが元の形状に復帰すると、逆止弁９は容器部２Ａおよび吸引管部２Ｂ内の内圧によって閉じる。このため、注入器本体２内の被検試料Ｌは、吸引口１０から漏洩するおそれがなく、試料注入器１の取り扱いが容易である。ただし、逆止弁９の閉じ方が不完全であると、被検試料Ｌが若干漏れることが予想されるが、測定には何ら問題ない。
【００２５】
試料注入器１によって採取された被検試料Ｌを試料セル１３に供給するときは、吐出管部２Ｃの先端部を試料セル１３の試料導入口１４に差し込み、容器部２Ａを手でゆっくりと押し潰して内部の被検試料Ｌ吐出管部２Ｃから排出し、試料セル１３内に注入する。このとき、被検試料Ｌは、吐出管部２Ｃ内のフィルター１６を通過することにより、除泡剤によって被検試料Ｌ中に混入している気泡が取り除かれる。したがって、気泡による測定への影響がなく、正確な測定を行うことができる。また、被検試料Ｌはフィルター１７を通過することにより、コンディショニング剤によって化学反応が促進されたり、一定の測定条件に設定される。したがって、迅速な測定を可能にし、表面プラズモン共鳴現象測定装置の試料注入器に用いて好適である。なお、このような試料注入器１は、一度使用すると、廃棄される使い捨てタイプである。
【００２６】
図３は本発明の他の実施の形態を示す一部破断斜視図、図４は断面図である。これらの図において、試料注入器３０は、プラスチック製の注入器本体３１を備えている。注入器本体３１は、平面視円形の扁平な容器部３２と、この容器部３２の外周にそれぞれ一体に突設された吸引管部３３および吐出管部３４とで構成されている。また、この注入器本体３１は、厚み方向中央で分割形成された２つのケース片３５Ａ、３５Ｂの分割面を互いに密接して溶着することにより形成されている。
【００２７】
容器部３２の表面板３２ａと裏面板３２ｂは、指で把持すると図４に２点鎖線で示すように弾性変形し得るように十分に薄く形成されている。また、容器部３２の内部は、仕切壁３５によって第１、第２の室３６、３７に仕切られており、第１の室３６と吸引管部３３の内部が常時連通し、第２の室３７と吐出管部３４の内部が常時連通している。また、仕切壁３５は、第２の室３７の容積が第１の室３６の容積より大きくなるように容器部３２の中央から吸引管部３３側に変位して設けられている。また、仕切壁３５は、表面板３２ａと裏面板３２ｂと同様に撓み得るように十分に薄く形成されており、長手方向中央には第１、第２の室３６、３７を連通させる連通孔３８が形成されている。この連通孔３８は、仕切壁３５の弾性変形によって閉塞するように扁平に形成されている。
【００２８】
さらに、前記容器部３２の表面板３２ａと裏面板３２ｂには、被検試料Ｌを採取するときに指で把持して押圧する部分Ａと、採取した被検試料Ｌを吐出させるときに把持して押圧する部分Ｂが色分け表示されている。採取時の押圧部Ａは、吐出管部３４と仕切壁３５の中間部分、言い換えれば第２の室３７の中央部部分である。吐出時の押圧部Ｂは、仕切壁３５の連通孔３８と対応する部分である。
【００２９】
前記吸引管部３３は、先端に向かって小径化するテーパ管からなり、容器部３２の外周から接線方向に突設されている。
【００３０】
前記吐出管部３４は、ストレートな管体もしくは先端部がテーパ状に形成された管体からなり、内部に除泡剤とコンディショニング剤を含浸させたフィルター４０が組み込まれている。
【００３１】
このような試料注入器３０において、被検試料Ｌを採敢するときは、吸引管部３３の先端部を容器内の被検試料の中に差し込み、容器部３２の表、裏面３２ａ、３２ｂで採取時の押圧部Ａを指で把持してゆっくりと押し潰して内部の空気を吐出管部３４から排出する。そして、十分に押し潰した後、急激に押圧力を取り除いて表裏面３２ａ、３２ｂを元の形状に復帰させる。これにより、被検試料Ｌが吸引管部３３を通って容器部３２の第１、第２の室３６，３７内に所定量吸い込まれる。
【００３２】
被検試料Ｌを採取した後、吐出管部３４の先端部を試料セル１３の試料導入口１４（図１）に差し込み、容器部３２の表裏面３２ａ、３２ｂで吐出時の押圧部Ｂを指で把持して押圧し、表、裏面３２ａ、３２ｂを内側にゆっくりと弾性変形させる。これにより、第２の室３７内の被検試料Ｌは室内の圧力上昇にともない吐出管部３４を通って試料セルに注入される。また、押圧部Ｂを指で押圧すると、仕切壁３５の連通孔３８が形成されている部分が撓んで連通孔３８の穴壁を互いに密着させる。つまり、仕切壁３５の撓みによって連通孔３８を閉塞する。このため、仕切壁３５と連通孔３８は、逆止弁として機能し、第２の室３７内の被検試料が連通孔３８を通って第１の室３６に逆流し、吸引管部３３から外部に漏洩することはない。
【００３３】
このような試料注入器３０においては、弾性変形可能な仕切壁３５と連通孔３８とで逆止弁を構成しているので、舌片状の逆止弁に比べて製造が簡単である。
【図面の簡単な説明】
【００３４】
【図１】本発明に係る試料注入器の断面図である。
【図２】（ａ）、（ｂ）はそれぞれ逆止弁の他の実施の形態を示す要部の断面図である。
【図３】本発明の他の実施の形態を示す一部破断斜視図である。
【図４】断面図である。
【符号の説明】
【００３５】
吐出管部、９、１１、１２…逆止弁、１０…吸引口、１５…吐出口、１６、１７…フィルター、３０試料注入器、３１…注入器本体、３２…容器部、３３…吸引管部、３４…吐出管部、３５…仕切壁、３８…連通孔、４０…フィルター。
【図１】
0004833230.tif 000002
【図２】
0004833230.tif 000003
【図３】
0004833230.tif 000004
【図４】
0004833230.tif 000005